(57)【要約】【課題】使い捨ておむつにおいて、収縮力を発現している弾性部材が、シート部材からはずれてしまうのを低減することにより、着用者に対する密着性が維持される吸収性物品を提供することを課題とする。【解決手段】本発明の吸収性物品は、弾性部材が、シート部材に反応性ウレタンホットメルト接着剤の硬化物により接合されていることを特徴とする。【選択図】図３
2020089669.tif 000002
【特許請求の範囲】
【請求項１】
弾性部材とシート部材とを有し、
前記弾性部材は、前記シート部材に反応性ウレタンホットメルト接着剤の硬化物により接合されていることを特徴とする吸収性物品。
【請求項２】
前記弾性部材の形状は、糸状または帯状である請求項１に記載の吸収性物品。
【請求項３】
前記弾性部材の材質は、ポリウレタンまたは天然ゴムである請求項１または２に記載の吸収性物品。
【請求項４】
前記弾性部材は、自然長に対して、１．１倍〜５．０倍の伸張倍率でシート部材に接合されている請求項１〜３のいずれか一項に記載の吸収性物品。
【請求項５】
前記吸収性物品は、使い捨ておむつであり、前記弾性部材は、腰周り用弾性部材である請求項１〜４のいずれか一項に記載の吸収性物品。
【請求項６】
前記吸収性物品は、使い捨ておむつであり、前記弾性部材は、脚周り用弾性部材である請求項１〜５のいずれか一項に記載の使い捨ておむつ。
【請求項７】
前記吸収性物品は、使い捨ておむつであり、前記弾性部材は、胴周り用弾性部材である請求項１〜６のいずれか一項に記載の使い捨ておむつ。
【請求項８】
前記吸収性物品は、使い捨ておむつであり、前記弾性部材は、立体ギャザー用弾性部材である請求項１〜７のいずれか一項に記載の使い捨ておむつ。
【発明の詳細な説明】
【技術分野】
【０００１】
本発明は、吸収性物品に関し、特に、使い捨ておむつを構成する弾性部材の接合技術に関する。
【背景技術】
【０００２】
使い捨ておむつの腰周り、脚周り、及び、立体ギャザーなどには、ポリウレタン糸などの弾性部材が使用されている。立体ギャザーは、弾性部材の収縮力を利用して、不織布を着用者側に起立させ、着用者が排泄した尿などが横漏れするのを防止する。脚周り用弾性部材は、使い捨ておむつの股部の脚周り側縁に配置され、その収縮力により、股部の両側縁部を着用者の大腿部に密着させる。腰周り用弾性部材は、使い捨ておむつの前方部および後方部の縦方向端部に配置されている。着用者が使い捨ておむつを着用したときには、腰周り用弾性部材の収縮力により、使いすておむつの前方部および後方部を、着用者の腰周りに密着させる。使い捨ておむつに脚周り用弾性部材および腰周り用弾性部材などを配置することにより、使い捨ておむつが着用者に密着するので、排泄物の漏れを低減することができる。
【０００３】
例えば、特許文献１では、第１シート部と第２シート部との間において発泡ホットメルト接着剤により前記第１シート部と前記第２シート部に接合されるとともに収縮することにより前記第１シート部および第２シート部を収縮させる弾性部材を備えることを特徴とする、吸収性物品の一部である伸縮シートの発明が記載されている。発泡ホットメルト接着剤とは、通常のホットメルト接着剤にガスを混入させたものである（特許文献１（請求項１、段落００１４および段落００２２）参照）。
【先行技術文献】
【特許文献】
【０００４】
【特許文献１】特開２００８−２４５９６０号公報
【発明の概要】
【発明が解決しようとする課題】
【０００５】
一般に、弾性部材は、自然長よりも伸長された状態で、吸収性物品を構成するシート部材にホットメルト接着剤により取り付けられている。しかしながら、弾性部材が、自然長に戻ろうとする収縮力は、弾性部材がシート部材から剥離するように作用する。そのため、弾性部材がシート部材からはずれるという問題があった。また、弾性部材をシート部材に接合するホットメルト接着剤は、加熱により軟化する。吸収性物品の着用者が暖房器具を使用すると、ホットメルト接着剤が軟化する。ホットメルト接着剤が軟化すると、弾性部材がシートからはずれて自然長に戻ってしまい、弾性部材の収縮力が利用できない。そのため、吸収性物品の着用者に対する密着性が低下し、排泄物が、吸収性物品から漏れやすくなるという問題があった。
【０００６】
本発明は、前記課題に鑑みてなされたものであり、吸収性物品において、収縮力を発現している弾性部材が、シート部材からはずれてしまうのを低減することにより、着用者に対する密着性が維持される吸収性物品を提供することを課題とする。
【課題を解決するための手段】
【０００７】
本発明の吸収性物品は、弾性部材とシート部材とを有し、前記弾性部材が、シート部材に反応性ウレタンホットメルト接着剤の硬化物により接合されていることを特徴とする。本発明で使用する反応性ウレタンホットメルト接着剤は、反応性に富むイソシアネート基を有する。イソシアネート基は、被接着対象物が有する表面官能基（例えば、水酸基やカルボキシル基）と反応して化学結合を形成することができ、被接着対象物に対する界面接着強度が高くなる。また、前記反応性ウレタンホットメルト接着剤は、空気中の水分と反応することで、三次元架橋を形成して硬化する。反応性ウレタンホットメルト接着剤の硬化物は、加熱により可塑化しない。そのため、着用者が暖房器具を使用した場合でも、シート部材と弾性部材とを接合している反応性ウレタンホットメルト接着剤の硬化物が軟化せず、弾性部材が、シート部材からはずれることが抑制される。
【０００８】
前記弾性部材の形状は、糸状または帯状であることが好ましい。前記弾性部材の材質は、ポリウレタンまたは天然ゴムであることが好ましい。
【０００９】
前記弾性部材は、例えば、自然長に対して、１．１倍〜５．０倍の伸張倍率でシート部材に接合されていることが好ましい。
【００１０】
本発明の吸収性物品の好適例は、使い捨ておむつであり、前記弾性部材としては、例えば、腰周り用弾性部材、脚周り用弾性部材、胴回り用弾性部材、または、立体ギャザー用弾性部材を挙げることができる。
【発明の効果】
【００１１】
本発明によれば、吸収性物品において、収縮力を発現している弾性部材が、シート部材からはずれてしまうのを低減することにより、着用者に対する密着性が維持される吸収性物品が得られる。また、本発明によれば、着用者が暖房器具を使用した場合でも、弾性部材がシート部材からはずれるのが抑制される。
【図面の簡単な説明】
【００１２】
【図１】本発明の使い捨ておむつの一例をトップシート側から見た平面図。
【図２】図１の使い捨ておむつをバックシート側から見た平面図。
【図３】図１のＩＩＩ−ＩＩＩ線の模式的断面図。
【図４】本発明の使い捨ておむつの一例をトップシート側から見た平面図。
【図５】図４のＶ−Ｖ線の模式的断面図。
【図６】図４のＶＩ−ＶＩ線の模式的断面図。
【発明を実施するための形態】
【００１３】
本発明の吸収性物品は、弾性部材とシート部材とを有し、弾性部材が、シート部材に反応性ウレタンホットメルト接着剤の硬化物により接合されていることを特徴とする。
【００１４】
（反応性ウレタンホットメルト接着剤）
まず、本発明で使用する反応性ウレタンホットメルト接着剤について説明する。本発明で使用する反応性ウレタンホットメルト接着剤は、反応性に富むイソシアネート基を有する。イソシアネート基は、吸収性物品および弾性部材が有する表面官能基（例えば、水酸基やカルボキシル基）と反応して化学結合を形成することができ、吸収性物品および弾性部材に対する界面接着強度が高くなる。また、反応性ウレタンホットメルト接着剤は、湿気硬化型接着剤であり、空気中の水分と反応することで、三次元架橋を形成して硬化する。反応性ウレタンホットメルト接着剤の硬化物は、三次元架橋構造を有し、耐熱性および耐水性に非常に優れている。また、反応性ウレタンホットメルト接着剤は、従来のホットメルト接着剤と同様に溶融状態で塗布することができ、かつ、冷却固化させることで被接着物を仮接合できる。よって、反応性ウレタンホットメルト接着剤を使用すれば、従来の製造設備を使用することができ、かつ、生産性の低下も抑制できる。前記反応性ウレタンホットメルト接着剤は、分子鎖の末端にイソシアネート基を有するウレタンプレポリマーを含有することが好ましい。
【００１５】
前記ウレタンプレポリマーは、ポリオールとポリイソシアネートとを、イソシアネート基が過剰になるような条件で反応させて得られたものであることが好ましい。
【００１６】
前記ポリオールとしては、特に限定されないが、例えば、ポリエーテルポリオール、ポリエステルポリオール、ポリカーボネートポリオール、ポリカプロラクトンなどが挙げられる。
【００１７】
前記ポリイソシアネートは、分子中に少なくとも２つのイソシアネート基を有する化合物である。前記ポリイソシアネートとしては、ジフェニルメタンジイソシアネート、ジメチルジフェニルメタンジイソシアネート、トリレンジイソシアネート、フェニレンジイソシアネートなどの黄変タイプジイソシアネート；および、ヘキサメチレンジイソシアネート、ジシクロヘキシルメタンジイソシアネート、キシリレンジイソシアネート、イソホロンジイソシアネートなどの無黄変ジイソシアネート或いは難黄変ジイソシアネートを挙げることができる。本発明で使用する反応性ウレタンホットメルト接着剤は、ポリイソシアネート成分として、無黄変ジイソシアネート或いは難黄変ジイソシアネートを含有することが好ましい。
【００１８】
本発明で使用する反応性ウレタンホットメルト接着剤のイソシアネート基の含有率は、０．５質量％以上が好ましく、より好ましくは０．７質量％以上、さらに好ましくは１．０質量％以上であり、１５質量％以下が好ましく、より好ましくは１０質量％以下、さらに好ましくは５質量％以下である。前記イソシアネート基の含有率が０．５質量％以上であれば、湿気硬化性が発現しやすくなり、１５質量％以下であれば、硬化後の接着強度が良好となる。
【００１９】
前記反応性ウレタンホットメルト接着剤の溶融粘度は、１２０℃で、２，０００ｍＰａ・ｓ以上が好ましく、４，０００ｍＰａ・ｓ以上がより好ましく、６，０００ｍＰａ・ｓ以上がさらに好ましく、２０，０００ｍＰａ・ｓ以下が好ましく、１５，０００ｍＰａ・ｓ以下がより好ましく、１０，０００ｍＰａ・ｓ以下がさらに好ましい。前記反応性ウレタンホットメルト接着材の溶融粘度が、前記範囲内であれば、反応性ウレタンホットメルトの塗工性が良好である。
【００２０】
本発明で使用する反応性ウレタンホットメルト接着剤のオープンタイムは、１０秒以上であることが好ましく、１５秒以上であることがより好ましく、２０秒以上であることがさらに好ましく、６０秒以下であることが好ましく、５０秒以下であることがより好ましく、４０秒以下であることがさらに好ましい。反応性ウレタンホットメルト接着剤のオープンタイムが前記範囲内であれば、接合部の接着強度が向上しやすくなるからである。
【００２１】
本発明では、弾性部材とシート部材との接合に、前記反応性ウレタンホットメルト接着剤に加えて、非反応性ホットメルト接着剤も併用されてもよい。
【００２２】
（非反応性ホットメルト接着剤）
前記非反応性ホットメルト接着剤は、加熱により軟化あるいは溶融した状態で、被着対象物に塗布され、常温に冷却・固化することにより接着力を発現する。非反応性ホットメルト接着剤としては、例えば、ゴム系ホットメルト接着剤、オレフィン系ホットメルト接着剤、ポリアミド系ホットメルト接着剤、ポリエステル系ホットメルト接着剤などを挙げることができる。
【００２３】
ゴム系ホットメルト接着剤は、ベースポリマーとして、合成ゴムを含有することが好ましく、スチレンブロックコポリマーを含有することがより好ましい。前記合成ゴムとしては、例えば、ブタジエンスチレン、スチレン−アクリロニトリル、アクリロニトリル−ブタジエン−スチレン、スチレン−ブタジエンゴム、ブタジエン−スチレンエラストマー、スチレン−イソプレン（SI）、スチレン−イソプレン−スチレン（SIS）、スチレン−ブタジエン−スチレン（SBS）、スチレン−エチレン／ブチレン−スチレン（SEBS）、および、スチレン−エチレン／プロピレン−スチレン（SEPS）よりなる群から選択される少なくとも１種を挙げることができる。これらの中でも、合成ゴムとしては、スチレン−イソプレン（SI）、スチレン−イソプレン−スチレン（SIS）、スチレン−ブタジエン−スチレン（SBS）、スチレン−エチレン／ブチレン−スチレン（SEBS）、および、スチレン−エチレン／プロピレン−スチレン（SEPS）よりなる群から選択される少なくとも１種が好ましい。前記スチレンブロックコポリマーは、直鎖状分子構造、あるいは、放射状の分子構造を有することができる。
【００２４】
オレフィン系ホットメルト接着剤は、オレフィン系ポリマーを含有することが好ましい。前記オレフィン系ポリマーとしては、例えば、ポリオレフィン、ポリオレフィンコポリマー、オレフィン／α−オレフェインインターポリマーを挙げることができる。前記オレフィン系ポリマーとしては、非晶質、半結晶性、または、結晶性のものを挙げることができ、例えば、非晶質（アモルファス）ポリオレフィンを好適に使用できる。
【００２５】
オレフィン系ポリマーとしては、例えば、エチレン／酢酸ビニル（ＥＶＡ）、エチレン／アクリレート、エチレン／メタクリレート、エチレン／ｎ−ブチルアクリレート、エチレン／ｎ−ヘキシルアクリレート、エチレン／プロピレン、エチレン／ブテン、エチレン／オクテン、ポリプロピレンなどが挙げられる。前記オレフィン系ポリマーは、単独で、あるいは、２種以上を組み合わせて使用してもよい。
【００２６】
前記反応性ウレタンホットメルト接着剤および非反応性ホットメルト接着剤は、粘着付与剤、可塑剤、ワックスなどを含有することができる。
【００２７】
前記粘着付与剤としては、例えば、ガムロジン、ウッドロジン、トール油ロジン、蒸留ロジン、水素化ロジン、二量化ロジン、および重合化ロジンなどを挙げることができる。
【００２８】
前記可塑剤としては、例えば、ナフテン系油、パラフィン系油（例えば、シクロパラフィン油）、鉱物系油、フタル酸エステル、アジピン酸エステル、オレフィンオリゴマー（例えば、ポリプロピレン、ポリブテン及び水素化ポリイソプレンのオリゴマー）、ポリブテン、ポリイソプレン、水素化ポリイソプレン、ポリブタジエン、安息香酸エステル、動物油、植物油（例えば、ヒマシ油、大豆油）、油の誘導体、脂肪酸のグリセロールエステル、ポリエステル、ポリエーテル、などを挙げることができる。
【００２９】
前記ワックスとしては、例えば、パラフィンワックス、微結晶性ワックス、ポリエチレンワックス、ポリプロピレンワックス、副生成物ポリエチレンワックス、フィッシャー−トロプシュワックス、酸化フィッシャー−トロプシュワックス、ならびにヒドロキシステアラミドワックスおよび脂肪アミドワックスなどの官能基化ワックスなどを挙げることができる。
【００３０】
前記反応性ウレタンホットメルト接着剤および非反応性ホットメルト接着剤は、さらに、安定剤、抗酸化剤、顔料、染料、紫外線吸収剤などの添加剤を含むことができる。
【００３１】
（吸収性物品）
本発明の吸収性物品は、弾性部材とシート部材とを有し、弾性部材が、吸収性物品を構成するシート部材に反応性ウレタンホットメルト接着剤の硬化物により接合されている限り、特に限定されない。斯かる構成を有する吸収性物品であれば、本発明を好適に利用できるからである。吸収性物品の具体例としては、吸収性シート、吸収パッド、ナプキン、失禁用シート、使い捨ておむつなどを挙げることができる。これらのなかでも、弾性部材を多く使用することから、本発明は、使い捨ておむつに好適に適用できる。
【００３２】
本発明で使用されるシート部材としては、吸収性物品を構成するシート状の形態を有する部材であれば特に限定されない。前記シート部材は、透液性シートおよび不透液性シートのいずれでもよい。透液性シートとしては、親水性繊維により形成された不織布や親水化処理された疎水性繊維により形成された不織布が挙げられる。前記親水性繊維としては、セルロース、レーヨン、コットンなどが挙げられる。また、前記疎水性繊維としては、ポリプロピレン、ポリエチレン、ポリエステル、ポリアミドなどが挙げられる。前記不織布としては、例えば、ポイントボンド不織布、エアスルー不織布、スパンレース不織布、スパンボンド不織布、エアレイド不織布が挙げられる。
【００３３】
前記不透液性シートとしては、疎水性繊維（例えば、ポリプロピレン、ポリエチレン、ポリエステル、ポリアミド）にて形成された撥水性または不透液性の不織布（例えば、スパンボンド不織布、メルトブロー不織布、ＳＭＳ（スパンボンド・メルトブロー・スパンボンド）不織布）や、撥水性または不透液性のプラスチックフィルムが利用できる。
【００３４】
シート部材として好適に使用する不織布の目付は、１０ｇ／ｍ2以上が好ましく、１２以上がより好ましく、１３ｇ／ｍ2以上がさらに好ましく、２５ｇ／ｍ2以下が好ましく、２２ｇ／ｍ2以下がより好ましく、２０ｇ／ｍ2以下がさらに好ましい。
【００３５】
シート部材の材質としては、ポリエチレン、ポリプロピレン、エチレン−プロピレン共重合体、ポリエステルが好ましい。
【００３６】
本発明で使用されるシート部材は、一般に、後述する吸収層の肌面側および／または外面側に配置されて、吸収性物品を構成する。なお、本発明の吸収性物品において、着用時に着用者の肌に対向する側が肌面側であり、この肌側の裏面が外面側である。
【００３７】
本発明で使用する弾性部材の材質としては、例えば、ポリウレタン、天然ゴムなどを挙げることができるが、ポリウレタンが好ましい。使用する反応性ウレタンホットメルト接着剤との親和性が高く、弾性部材とシート部材との接着力がより一層高くなるからである。また、弾性部材の形状は、糸状、帯状、板状から適宜選択されるが、糸状であることが好ましい。
【００３８】
弾性部材の形状が糸状である場合、糸状の弾性部材の繊度は３００ｄｔｅｘ以上が好ましく、より好ましくは４００ｄｔｅｘ以上、さらに好ましくは４５０ｄｔｅｘ以上であり、２０００ｄｔｅｘ以下が好ましく、より好ましくは１５００ｄｔｅｘ以下、さらに好ましくは１０００ｄｔｅｘ以下である。３００ｄｔｅｘ以上であれば、製造時における伸長破断が生じづらいからである。また、２０００ｄｔｅｘ以下であれば、風合いが良好となるからである。
【００３９】
前記弾性部材は、伸張された状態でシート部材に接合されていることが好ましい。吸収性物品に配置して、収縮力を発現させるためである。前記弾性部材が接合されるときの伸張倍率は、１．１倍以上が好ましく、より好ましくは１．３倍以上、さらに好ましくは１．５倍以上であり、５．０倍以下が好ましく、より好ましくは４．０倍以下、さらに好ましくは３．０倍以下である。１．１倍以上であれば、おむつがずれにくくなるからである。また、５．０倍以下であれば、締め付け感が強くならないからである。
【００４０】
本発明において、弾性部材がシート部材と接合される態様としては、伸張した状態で、例えば、少なくとも弾性部材の両端部が、反応性ウレタンホットメルト接着剤の硬化物によりシート部材に接合されていることが好ましい。本発明で使用する反応性ウレタンホットメルト接着剤は、接着強度が高い。そのため、弾性部材の少なくとも両端部が、反応性ウレタンホットメルト接着剤の硬化物によりシート部材に接合されていれば、弾性部材がシート部材から剥離することが抑制される。弾性部材の両端部が、シート部材と反応性ウレタンホットメルト接着剤の硬化物で接合されている長さは、弾性部材の両端から５．０ｃｍ以内であることが好ましく、弾性部材の両端から２．５ｃｍ以内であることがより好ましく、弾性部材の両端から０．５ｃｍ以上であることが好ましく、１．０ｃｍ以上であることがより好ましい。弾性部材の両端部とシート部材とが接着されている長さが前記範囲であれば、接着強度が高くなり、弾性部材がシート部材からはずれることが一層低減する。
【００４１】
本発明の好ましい態様では、弾性部材は、例えば、弾性部材の両端部と、前記両端部の間を反応性ウレタンホットメルト接着剤の硬化物で間欠的にシート部材に接合してもよい。また、弾性部材において、弾性部材の両端部のみを反応性ウレタンホットメルト接着剤の硬化物でシート部材に接合し、反応性ウレタンホットメルト接着剤が塗布されていない中央部を非反応性ホットメルト接着剤でシート部材に接合するようにしてもよい。さらに、弾性部材の両端部のみを反応性ウレタンホットメルト接着剤の硬化物でシート部材に接合し、反応性ウレタンホットメルト接着剤が塗布されていない中央部には接着剤を塗布せず、シート部材に接合しないようにしてもよい。
【００４２】
別の好ましい態様では、弾性部材の全長に渡って反応性ウレタンホットメルト接着剤の硬化物でシート部材と接合するようにしてもよい。
【００４３】
さらに本発明の好ましい態様では、糸状の弾性部材を予め所望の形状に加工したシート部材に、反応性ウレタンホットメルト接着剤の硬化物で接合した弾性シートを作製し、この弾性シートを、吸収性物品を構成する別のシート部材に接合するようにしてもよい。弾性シートと吸収性物品を構成する他のシート部材とは、反応性ウレタンホットメルト接着剤の硬化物で接合されることが好ましい。弾性シートは、少なくともその両端部が、反応性ウレタンホットメルト接着剤の硬化物により、吸収性物品を構成する他のシート部材に接合されることが好ましい。
【００４４】
本発明の吸収性物品は、液体を吸収する吸収層を有する。吸収層は、着用者が排泄した排泄液（例えば、尿、便に含まれる水分）を吸収し、保持する。具体的には、吸収層は、吸水性樹脂粉末および／または吸水性繊維を含有する。前記吸水性樹脂粉末としては、従来吸収性物品に使用されているものを使用できる。前記吸水性樹脂粉末としては、例えば、ポリアクリル酸塩系、ポリスルホン酸塩系、無水マレイン酸塩系、ポリアクリルアミド系、ポリビニルアルコール系、ポリエチレンオキシド系などの合成ポリマー系の吸水性樹脂粉末；および、ポリグルタミン酸系、ポリアルギン酸系、デンプン系、セルロース系などの天然物由来の吸水性樹脂粉末が挙げられる。前記吸水性繊維としては、パルプ繊維、セルロース繊維、レーヨン、アセテート繊維などが挙げられる。前記吸収層の平面視形状は特に限定されず、例えば、長方形型、砂時計型、ひょうたん型、羽子板型などが挙げられる。
【００４５】
本発明の吸収性物品において、シート部材としては、例えば、吸収性物品を構成する表面シートおよび外装シートを挙げることができる。吸収層は、例えば、前記表面シートと外装シートとの間に配置されている。
【００４６】
（使い捨ておむつ）
以下、本発明の吸収性物品を好ましい態様である使い捨ておむつに基づいて説明する。前記使い捨ておむつは、前方部、股部、後方部を有する。使い捨ておむつは、前方部から後方部にかけて縦方向にのび、その中間に位置する股部において幅方向にくびれた砂時計状であることが好ましい。前記前方部が着用者の腹側、前記後方部が着用者の背側、前記股部が着用者の股下にそれぞれあてがわれる。なお、本発明の使い捨ておむつにおいて、着用時に着用者の肌に対向する側が肌面側であり、この肌側の裏面が外面側である。
【００４７】
本発明の使い捨ておむつを構成するシート部材としては、例えば、表面シートおよび外装シートを挙げることができる。表面シートは、吸収性物品の肌面側の表面に配置するシートであり、例えば、トップシートおよびサイドシートを挙げることができる。外装シートは、吸収性物品の外面側に配置されるシートであり、例えば、バックシートを挙げることができる。
【００４８】
本発明の好ましい態様では、使い捨ておむつの前方部および／または後方部には、幅方向にのびる複数本の腰周り用弾性部材が設けられている。腰周り用弾性部材は、自然長よりも伸長された状態で、前方部および／または後方部を構成するシート部材に、反応性ウレタンホットメルト接着剤の硬化物により接合されていることが好ましい。腰周り用弾性部材は、前方部および／または後方部を、幅方向に収縮させる収縮力を発生させる。着用者が使い捨ておむつを着用したときには、腰周り用弾性部材の収縮力により、前方部および／または後方部を、着用者の腰周りにフィットさせることができる。
【００４９】
また、本発明の別の好ましい態様では、股部の幅方向の両側縁部には、複数本の脚周り用弾性部材が設けられている。脚周り用弾性部材は、自然長よりも伸長された状態で、使い捨ておむつの股部を構成するシート部材に、反応性ウレタンホットメルト接着剤の硬化物により接合されていることが好ましい。脚周り用弾性部材は、股部の両側縁部を収縮させる収縮力を発生させる。着用者が使い捨ておむつを着用したときには、脚周り用弾性部材の収縮力により、股部の両側縁部を、着用者の大腿部にフィットさせることができる。
【００５０】
本発明の別の好ましい態様では、使い捨ておむつの前方部および／または後方部において、腰周り用弾性部材と脚周り用弾性部材との間に、胴回り用弾性部材が設けられている。胴周り用弾性部材は、自然長よりも伸長された状態で、前方部および／または後方部を構成するシート部材に、反応性ウレタンホットメルト接着剤の硬化物により接合されている。胴回り用弾性部材の収縮力により、使い捨ておむつの下腹部と臀部周りに対する密着性が向上する。
【００５１】
本発明の好ましい態様では、肌面側の縦方向に沿って、立体ギャザーが設けられている。立体ギャザーによって排泄された尿、便の横漏れが防止される。立体ギャザーの幅方向内側先端（起立した際の上端）には、前後方向に伸長された立体ギャザー用弾性部材が配置されている。立体ギャザーの先端は、この弾性部材の収縮力によって、トップシートから離反する方向（肌面側）に起立可能と構成されている。この立体ギャザー用弾性部材は、自然長よりも伸長された状態で、立体ギャザーを構成するシート部材に、反応性ウレタンホットメルト接着剤の硬化物により接合されていることが好ましい。
【００５２】
以下、本発明の好ましい使い捨ておむつについて、図面を参照しながら説明するが、本発明は図面に示された態様に限定されるものではない。
【００５３】
本発明の使い捨ておむつとしては、例えば、吸収層と、吸収層の肌面側に設けられた表面シートと、吸収層の外面側に設けられた外装シートとを有するファスニング型の使い捨ておむつ（態様１）；および、外装シートの肌面側に、透液性シートと不透液性シートの間に吸収層が設けられた吸収コアが設置されたパンツ型の使い捨ておむつ（態様２）などを挙げることができる。
【００５４】
図１は、本発明の好ましい態様１に係る使い捨ておむつ１を、展開した状態でトップシート１０側から見た平面図である。図２は、使い捨ておむつ１を、展開した状態で外装シート２０側から見た平面図である。図３は、使い捨ておむつ１を図１中のＩＩＩ−ＩＩＩ線で切断した断面図である。なお、図１および図２は、後述する立体ギャザー用弾性部材４１、腰周り用弾性部材５１、脚周り用弾性部材５２を、いずれも伸長させた状態を示している。図では、矢印Ａを縦方向（前後方向）とし、矢印Ｂを幅方向と定義付ける。また、矢印Ａ，Ｂにより形成される面上の方向を、平面方向と定義付ける。また、矢印Ａ，Ｂにより形成される面に対して垂直方向が上下方向Ｃを表す。
【００５５】
図１〜図３に示すように、好ましい態様１の使い捨ておむつ１は、透液性のトップシート１０と、不透液性の外装シート２０と、両シート１０，２０の間に介在する吸収層３０とを有する積層体であるおむつ本体２を備えている。
【００５６】
おむつ本体２は、着用者の腹面にあてがわれる前方部２ａと、着用者の背面にあてがわれる後方部２ｂと、前方部２ａと後方部２ｂを繋ぐ股部２ｃとを有している。以下では、前方部２ａ、股部２ｃ、後方部２ｂが連なる方向を「縦方向（前後方向）」と称し、縦方向に直交しかつおむつ本体２の表面に沿う方向を「幅方向」と称する。おむつ本体２は、前方部２ａから後方部２ｂにかけて縦方向にのび、その中間に位置する股部２ｃにおいて幅方向にくびれた形状となっている。
【００５７】
トップシート１０は、おむつ本体２の肌面側に配置された透液性のシートである。トップシート１０は、前方部２ａから後方部２ｂにかけて帯状にのび、その幅方向の寸法は、おむつ本体２の外縁の幅方向の寸法よりも小さい。
【００５８】
外装シート２０は、おむつ本体２の外面側に配置されている。外装シート２０は、平面視において、おむつ本体２とほぼ同等の形状を有する。すなわち、外装シート２０は、おむつ本体２の下面全体を覆っている。
【００５９】
吸収層３０は、トップシート１０と外装シート２０との間に固定され、吸液性および保液性を有する。図３に示すように、吸収層３０は、トップシート１０と外装シート２０との間に、非反応性ホットメルト接着剤５５により固定されていることが好ましい。外装シート２０は、不透液性シート２０ａとこの不透液性シート２０ａの外面側に貼り合わされた不織布２０ｂから構成された積層シートである。また、図１に示すように、吸収層３０は、平面視において、おむつ本体２の外縁より一回り小さく形成されている。
【００６０】
トップシート１０の上面側には、側方への尿漏れを防止するための一対のサイドシート４０が設けられている。一対のサイドシートが接合されている。一対のサイドシート４０は、おむつ本体２の左右の側縁部を覆うように、縦方向（前後方向）にのびている。
【００６１】
図３に示したように、一対のサイドシート４０は、トップシート１０の肌面側において、幅方向に間隔をあけて縦方向（前後方向）に沿って、トップシート１０の肌面側の両側部に接合されていることが好ましい。サイドシート４０とトップシート１０との接合点から幅方向内側のサイドシート４０は、トップシート１０に接合せずに、自由端とされている。サイドシート４０の幅方向内側の先端部には、前後方向にのびる複数本の立体ギャザー用弾性部材４１が配置されている。サイドシートの幅方向内側先端部は、立体ギャザーを構成する。立体ギャザー用弾性部材４１は、自然長よりも伸長された状態で、サイドシート４０に反応性ウレタンホットメルト接着剤の硬化物７２ａにより接合されていることが好ましい。このため、立体ギャザー用弾性部材４１は、サイドシート４０を縦方向（前後方向）に収縮させる収縮力を発生させる。使い捨ておむつを開いたときには、立体ギャザー用弾性部材４１の収縮力により、サイドシート４０の幅方向内側の先端部が立ち上がる。これにより、おむつ本体２の上面に一対の起立した堰が形成され、着用者が排泄した尿の側方への漏れが防止される。
【００６２】
この態様では、立体ギャザー用弾性部材４１に反応性ウレタンホットメルト接着剤を塗工して、サイドシート４０に貼り付けられることが好ましい。また、立体ギャザー用弾性部材４１の両端部のみが、サイドシート４０に反応性ウレタンホットメルト接着剤の硬化物７２ａにより接合されていることも好ましい。
【００６３】
図３に示す態様では、使い捨ておむつの股部２ｃの両側縁部において、トップシート１０の幅が、外装シート２０の幅よりも短いために、外装シート２０幅方向の両側縁部の上方には、トップシート１０が存在せず、サイドシート４０が設けられている。本態様の使い捨ておむつは、股部２ｃの脚周り端縁に沿って、脚周り弾性部材５２が、表面シートを構成するサイドシート４０と外装シート２０とに、反応性ウレタンホットメルト接着剤の硬化物７２ｂにより接合されている。
【００６４】
前方部２ａおよび後方部２ｂには、幅方向にのびる複数本の腰周り用弾性部材５１が設けられている。腰周り用弾性部材５１は、自然長よりも伸長された状態で、トップシート１０と外装シート２０との間に、反応性ウレタンホットメルト接着剤の硬化物（図示せず）により接合されている。このため、腰周り用弾性部材５１は、前方部２ａおよび後方部２ｂを、幅方向に収縮させる収縮力を発生させる。着用者が使い捨ておむつ１を着用したときには、腰周り用弾性部材５１の収縮力により、前方部２ａおよび後方部２ｂを、着用者の腰周りにフィットさせることができる。
【００６５】
また、股部２ｃの幅方向の両側縁部には、前後方向にのびる複数本の脚周り用弾性部材５２が設けられている。脚周り用弾性部材５２は、自然長よりも伸長された状態で、サイドシート４０と外装シート２０との間に、反応性ウレタンホットメルト接着剤の硬化物７２ｂにより接合されることが好ましい（図３）。このため、脚周り用弾性部材５２は、股部２ｃの両側縁部を、縦方向（前後方向）に収縮させる収縮力を発生させる。着用者が使い捨ておむつ１を着用したときには、脚周り用弾性部材５２の収縮力により、股部２ｃの両側縁部を、着用者の大腿部にフィットさせることができる。
【００６６】
この態様では、例えば、反応性ウレタンホットメルト接着剤を外装シート２０に塗工し、脚周り用弾性部材５２が、自然長よりも伸張された状態で貼り付けられる。また、脚周り用弾性部材５２は、全長に渡って、サイドシート４０と外装シート２０との間に、反応性ウレタンホットメルト接着剤の硬化物７２ｂにより接合されることが好ましい。
【００６７】
なお、立体ギャザー用弾性部材４１、腰周り用弾性部材５１、及び、脚周り用弾性部材５２には、例えば、ポリウレタン製の弾性部材を使用することが好ましい。接着剤として使用する反応性ウレタンホットメルト接着剤との親和性が高く、弾性部材とシート部材との接着力が一層向上するからである。また、弾性部材の形状としては、糸状および帯状（平板状）のものを挙げることができ、糸状の弾性部材を使用することが好ましい。
【００６８】
図１の態様の使い捨ておむつ１は、一対のファスニング部材６０を備えている。各ファスニング部材６０は、ファスニング基材６１と、ファスニング基材６１の自由端側の端辺から幅方向外側に張り出した２つの舌片状のつまみ部６２とを有している。各つまみ部６２の肌面側には、第１止着部材６３が設けられている。ファスニング基材６１は、幅方向内側の固定端部において、サイドシート４０と外装シート２０に挟まれて、おむつ本体に接合されている。一方、図２に示したように、おむつ本体２の前方部２ａの外側面には、第１止着部材６３を着脱自在に止着させる第２止着部材７０が設けられている。
【００６９】
ファスニング基材は、例えば、不織布、織布、編布、樹脂フィルム材から適宜選択できる。ファスニング基材としては、スパンボンド法、エアスルー法、ポイントボンド法、メルトブロー法及びエアレイド法のうちの１つ又は複数の製法の組み合わせによって製造される不織布が好ましい。さらに、目付３０ｇ／ｍ2〜１００ｇ／ｍ2で、スパンボンド法、又は、スパンボンド法とメルトブロー法とを組み合わせたＳＭＳ法により製造された不織布が強度の点から好ましい。ファスニング基材として、最も好ましいのは、目付５０ｇ／ｍ2〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用できる。ファスニング基材としては、ポリプロピレン、ポリエステル繊維を主成分とするものは強度があり、好適である。ファスニング基材の材質として、最も好ましいのはポリエステル繊維である。
【００７０】
前記第１止着部材と第２止着部材は、これらを着脱自在に止着し得るものであれば特に限定されない。第１止着部材と第２止着部材との組合せとしては、例えば、第１止着部材と第２止着部材とが面ファスナーを構成する態様；第１止着部材が粘着テープであり、第２止着部材が粘着テープを着脱自在に付着できる付着シートである態様；が挙げられる。  なお、面ファスナーを採用する場合、第１止着部材にフック材（雄部材）を配置し、第２止着部材にループ材（雌部材）を配置することが好ましい。
【００７１】
第１止着部材としては、例えば複数のフックが面状に密に設けられたフック材が好ましく用いられる。そのフック材のフックの形状としては、錨形や、駒形や、キノコ形等が好ましい。前記フック材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。第２止着部材としては、例えば微細なループ構造が面状に密に設けられたループ材（不織布、織布、編み物等や、不織布、織布等を表面に有する樹脂フィルム複合材等）が用いられる。
【００７２】
図４は、本発明の好ましい態様２に係るパンツ型の使い捨ておむつ１を、展開した状態でトップシート１０側から見た平面図である。図５は、図４の使い捨ておむつ１のＶ−Ｖ線で切断した断面図である。図６は、図４の使い捨ておむつ１のＶＩ−ＶＩ線で切断した断面図である。好ましい態様の使い捨ておむつ１は、前方部２ａの両側縁と後方部２ｂの両側縁とが接合されてパンツ型に成形されることが好ましい。なお、態様１の使い捨ておむつと共通する材料および構成については、説明を省略する。
【００７３】
本発明の好ましい態様２に係る使い捨ておむつ１の前方部２ａおよび後方部２ｂには、幅方向にのびる複数本の腰周り用弾性部材５１が設けられている。腰周り用弾性部材５１は、自然長よりも伸長された状態で、外装シート２０の不透液性シート２０ａと、この不透液性シート２０ａの外面側に貼り合わされた不織布２０ｂとの間に、反応性ウレタンホットメルト接着剤の硬化物７２ａにより接合されている（図５）。このため、腰周り用弾性部材５１は、前方部２ａおよび後方部２ｂを、幅方向に収縮させる収縮力を発生させる。着用者が使い捨ておむつ１を着用したときには、腰周り用弾性部材５１の収縮力により、前方部２ａおよび後方部２ｂを、着用者の腰周りにフィットさせることができる。
【００７４】
本発明の好ましい態様２に係る使い捨ておむつ１の股部２ｃの幅方向の両側縁部には、股部の両縁に沿って、複数本の脚周り用弾性部材５２が設けられている。脚周り用弾性部材５２は、吸収コアの下方の股部を幅方向に横断するように設けられている。具体的には、図４の股部の前方部２ａ側の側縁に沿って配置されている左右の脚周り弾性部材５２ａは、吸収コア３２の下方において、股部２ｃを幅方向に横断するように接続されている。同様に、図４の股部の後方部２ｂ側の側縁に沿って配置されている左右の脚周り弾性部材５２ｂは、吸収コア３２の下方において、股部２ｃを幅方向に横断するように接続されている。脚周り用弾性部材５２は、自然長よりも伸長された状態で、外装シート２０の不透液性シート２０ａと、この不透液性シート２０ａの外面側に貼り合わされた不織布２０ｂとの間に、反応性ウレタンホットメルト接着剤の硬化物７２により接合されている（図５、図６）。このため、脚周り用弾性部材５２は、股部２ｃの両側縁部を収縮力を発生させる。着用者が使い捨ておむつ１を着用したときには、脚周り用弾性部材５２の収縮力により、股部２ｃの両側縁部を、着用者の大腿部にフィットさせることができる。
【００７５】
この態様では、例えば、反応性ウレタンホットメルト接着剤を不透液性シート２０ａおよび不織布２０ｂに塗工し、脚周り用弾性部材５２が、自然長よりも伸張された状態で貼り付けられる。また、脚周り用弾性部材５２は、全長に渡って、不透液性シート２０ａと不織布２０ｂとの間に、反応性ウレタンホットメルト接着剤の硬化物７２により接合されることが好ましい。
【００７６】
脚周り用弾性部材５２は、吸収コア３２の下方において、断続的に切断されていてもよい。股部２ｃに収縮力を付与することを抑制して、股部がしわになるのを防止できるからである。
【００７７】
また、使い捨ておむつ１の前方部２ａおよび／または後方部２ｂにおいて、腰周り用弾性部材５１と脚周り用弾性部材５２との間に、胴回り用弾性部材５３が設けられていることも好ましい。胴周り用弾性部材５３は、自然長よりも伸長された状態で、外装シート２０の不透液性シート２０ａとこの不透液性シート２０ａの外面側に貼り合わされた不織布２０ｂとの間に、反応性ウレタンホットメルト接着剤の硬化物７２ａにより接合されている（図５）。胴回り用弾性部材５３の収縮力により、使い捨ておむつの下腹部と臀部周りに対する密着性が向上する。
【００７８】
好ましい態様２の使い捨ておむつ１には、外装シート２０の肌面側に吸収コア３２が設けられている（図６参照）。吸収コア３２は、外装シート２０の肌面側に非反応性ホットメルト接着剤５５により接合されていることが好ましい。吸収コア３２は、透液性のトップシート１０と不透液性のバックシート２２の間に吸収層３０を有する。不透液性のバックシート２２は、吸収層３０の上方に巻き上げられ、トップシート１０の幅方向両側縁部の外面側に非反応性ホットメルト接着剤５５で接合されている。トップシート１０の幅方向両側部の肌面側には、一対のサイドシート４０が、非反応性ホットメルト接着剤５５により接合されている。一対のサイドシート４０は、立体ギャザーを構成する。立体ギャザーは、第１の折り返し縁４３で、幅方向内方に向かって折り返され、次いで、第２の折り返し縁４５で、立体ギャザー用弾性部材４１を覆うように内方に折り返されている。立体ギャザー用弾性部材４１は、第２の折り返し縁４５の内部に伸張状態で、反応性ウレタンホットメルト接着剤の硬化物７２ａにより、サイドシート４０に接合されている。
【００７９】
この態様では、立体ギャザー用弾性部材４１に反応性ウレタンホットメルト接着剤を塗工して、サイドシート４０に貼り付けられることが好ましい。また、立体ギャザー用弾性部材４１の両端部のみが、サイドシート４０に反応性ウレタンホットメルト接着剤の硬化物７２ａにより接合されていることも好ましい。
【００８０】
外装シート２０の不織布２０ｂは、不透液性シート２０ａよりも縦方向に長く、縦方向端縁に肌面側に折り返されている。また、前方部２ａおよび後方部２ｂには、吸収コア３２の縦方向の両端部を覆うように、エンド押さえシート１２が配置されている（図５）。
【００８１】
本発明の吸収性物品の製造方法は、弾性部材とシート部材とを、反応性ウレタンホットメルト接着剤を用いて接合することを特徴とする。
【００８２】
反応性ウレタンホットメルト接着剤は、弾性部材あるいはシート部材のいずれに塗工してもよい。弾性部材が糸状の場合、弾性糸の接着剤を塗布する周面の全面に反応性ウレタンホットメルト接着剤を塗工することが好ましい。
【００８３】
反応性ウレタンホットメルト接着剤を用いて製造した吸収性物品は、湿度４０％ＲＨ〜７０％ＲＨ、温度１５℃〜３５℃で、７２時間〜１２０時間養生することが好ましい。養生は、特別な処理を必要とせず、最終製品として、倉庫に保管していることによる行うことが好ましい。前記条件で養生することにより、反応性ウレタンホットメルト接着剤の湿気硬化反応が進んで硬化する。その結果、３次元架橋構造が形成され、接着強度が発現される。
【符号の説明】
【００８４】
１：使い捨ておむつ、２：おむつ本体、２ａ：前方部、２ｂ：後方背部、２ｃ：股部、１０：トップシート、２０：バックシート、３０：吸収コア、４０：サイドシート、４１：サイドシート用弾性部材、５１：腰周り用弾性部材、５２：足周り用弾性部材、５５：ホットメルト接着剤、６０：ファスニング部材、６１：ファスニング基材、６２：つまみ部、６３：第１止着部材、７０：第２止着部材、７２：反応性ウレタンホットメルト接着剤
【図１】
2020089669.tif 000003
【図２】
2020089669.tif 000004
【図３】
2020089669.tif 000005
【図４】
2020089669.tif 000006
【図５】
2020089669.tif 000007
【図６】
2020089669.tif 000008